(57)【要約】【課題】取り付けがしやすく、取り付け位置の自由度が高く、かつ取り付け対象に対してしっかりと固定できる軒樋支持具を提供する。【解決手段】軒樋支持具１は、軒樋５を支持する樋支持具本体３０と、屋根材６で覆われた屋根下地板体７の軒先部分を上下より挟持、固定して軒先に固定される取付固定部１０とを備えた構成とされており、取付固定部１０は、屋根下地板体７の厚みに合わせて挟持間隔を調整できるようにされている。【選択図】図１
2019039189.tif 000002
【特許請求の範囲】
【請求項１】
軒樋を支持する樋支持具本体と、屋根材で覆われた屋根下地板体の軒先部分を上下より挟持、固定して軒先に固定される取り付け固定部とを備えた構成とされており、
前記取り付け固定部は、前記屋根下地板体の厚みに合わせて挟持間隔を調整できるようにされていることを特徴とする軒樋支持具。
【請求項２】
請求項１において、
前記取り付け固定部は、前記樋支持具本体の後端より後方に延びた平板状の挟持片部と、前記樋支持具本体とは別体に構成された厚調整挟持片とよりなり、
前記厚調整挟持片は、前記屋根下地板体の軒先部分の上面側に配される板体押さえ部と、調整部とを有して逆Ｌ字状に形成されており、該調整部は、前記挟持片部を一方の側端より差し入れて係合する係合凹部を櫛歯状に複数有していることを特徴とする軒樋支持具。
【請求項３】
請求項２において、
前記係合凹部と前記挟持片部の一方には突起が形成され、他方には該突起が係合する係合凹所を有していることを特徴とする軒樋支持具。
【請求項４】
請求項２または３において、
前記挟持片部には差し入れ凹溝が形成されていることを特徴とする軒樋支持具。
【発明の詳細な説明】
【技術分野】
【０００１】
本発明は、軒先に施工される軒樋を受け支持または吊り支持するようにした軒樋支持具に関する。
【背景技術】
【０００２】
従来の軒樋支持具は、たとえば特許文献１に示すように、垂木に取り付けられる構造としたものが通例とされている。垂木は木質の角柱材であるため、垂木の正面、側面のいずれにでも軒樋支持具を容易に取り付けることができる。また、垂木は屋根材や屋根下地材を支持する基材として、長手方向の先端を軒先方向に向けて並設されるようになっているため、垂木の設置位置に合わせて複数の軒樋支持具を取り付けることができる。
【先行技術文献】
【特許文献】
【０００３】
【特許文献１】特開２０１７−１１５４６６号公報
【発明の概要】
【発明が解決しようとする課題】
【０００４】
しかしながら、垂木の先端は、屋根下地板体（野地板）の下方における、軒先のやや奥まった箇所に位置する場合もあり、施工作業は必ずしも簡易であるとは言えない。また、軒樋支持具の取り付け対象が等間隔に配した垂木であるから、軒樋支持具の取り付けピッチは限定される。
【０００５】
本発明は、このような事情を考慮して提案されたもので、その目的は、取り付けがしやすく、取り付け位置の自由度が高く、かつ取り付け対象に対してしっかりと固定できる軒樋支持具を提供することにある。
【課題を解決するための手段】
【０００６】
上記目的を達成するために、請求項１に記載の軒樋支持具は、軒樋を支持する樋支持具本体と、屋根材で覆われた屋根下地板体の軒先部分を上下より挟持、固定して軒先に固定される取付固定部とを備えた構成とされており、取付固定部は、屋根下地板体の厚みに合わせて挟持間隔を調整できるようにされていることを特徴とする。
【０００７】
請求項２に記載の軒樋支持具は、取付固定部は、樋支持具本体の後端より後方に延びた平板状の挟持片部と、樋支持具本体とは別体に構成された厚調整挟持片とよりなり、厚調整挟持片は、屋根下地板体の軒先部分の上面側に配される板体押さえ部と、調整部とを有して逆Ｌ字状に形成されており、調整部は、挟持片部を一方の側端より差し入れて係合する係合凹部を櫛歯状に複数有していることを特徴とする。
【０００８】
請求項３に記載の軒樋支持具は、係合凹部と挟持片部の一方には突起が形成され、他方には突起が係合する係合凹所を有していることを特徴とする。
【０００９】
請求項４に記載の軒樋支持具は、挟持片部には差し入れ凹溝が形成されていることを特徴とする。
【発明の効果】
【００１０】
請求項１に記載の軒樋支持具によれば、上述した構成となっているため、取り付けがしやすく、取り付け位置の自由度が高く、かつ、屋根下地板体に対してしっかりと固定することができる。また、屋根下地板体は上方より屋根材で覆われているため、軒樋支持具の取り付け部位が上方に露出することを防止できる。
【００１１】
請求項２に記載の軒樋支持具によれば、上述した構成となっているため、種々の厚みの屋根下地板体に対してしっかりとかつ確実に取り付けができる。
【００１２】
請求項３に記載の軒樋支持具によれば、上述した構成となっているため、挟持片部と厚調整挟持片との係合がしっかりとなされ得る。また、両部材の係合作業の際の位置合わせが確実になされ得る。
【００１３】
請求項４に記載の軒樋支持具によれば、上述した構成となっているため、屋根下地板体に対する位置合わせをしやすくすることができる。
【図面の簡単な説明】
【００１４】
【図１】本発明の一実施形態に係る軒樋支持具の側面図である。
【図２】同軒樋支持具の一部を省略した分解斜視図である。
【図３】同軒樋支持具の屋根下地板体に対して取り付けた状態を示す側面図である。
【図４】本発明の他の実施形態に係る軒樋支持具の取り付け状態を示す側面図である。
【発明を実施するための形態】
【００１５】
以下に、本発明の実施形態について、添付図面を参照しながら説明する。
【００１６】
添付図に示した２種（図１および図４）の軒樋支持具１、２は、軒樋５を支持する樋支持具本体３０と、屋根材６（図３参照）で覆われた屋根下地板体７（野地板）の軒先部分を上下より挟持、固定して軒先に固定される取付固定部１０とを備えた構成とされている。この取付固定部１０は、屋根下地板体７の厚みに合わせて挟持間隔を調整できるようにされており、種々の厚みの屋根下地板体７に対応できるようにされている。
【００１７】
これらの軒樋支持具１、２は、金属等よりなる帯状板材を加工してなる。また、これらの軒樋支持具１、２は、軒先に取り付ける軒樋５をその長手方向に対して略等間隔に設置されるようにしてあり、軒先における取り付け対象は、屋根材６（図３参照）を取り付けるための屋根下地板体７とされる。この屋根下地板体７の前端は、図１等に示すように、垂木８の前端より少し前方に位置している。
【００１８】
ついで、軒樋支持具１、２について個別に説明する。
【００１９】
図１に示した軒樋支持具１は、本図に示すように、軒樋５を受け支持するための本体部材Ａと、それとは別体の厚調整挟持片２０との２部材よりなり、これらを組み合わせて屋根下地板体７に取り付けられる構成とされている。
【００２０】
本体部材Ａは、丸樋５を受け支持できる、丸樋５の形状におおむね合致した湾曲形状の樋支持具本体３０と、その後端より後方に延びた平板状の挟持片部１１とよりなる。
【００２１】
樋支持具本体３０は、前部に前耳係止部３１を備え、後部に後耳係止部３２を備えている。前耳係止部３１および後耳係止部３２はいずれも別体の薄板を本体に固着してなり、図中の矢印方向に折り曲げることで、軒樋５の前耳５ａ、後耳５ｂのそれぞれを係止できるようにしてある。また、樋支持具本体３０は、挟持片部１１を連設するための連設部３３を後耳係止部３２の上方に延びるように有している。
【００２２】
一方、厚調整挟持片２０は逆Ｌ字状とされ、屋根下地板体７の軒先部分の上面側に配される板体押さえ部２１と、挟持間隔を調整するための調整部２２とを備えている。この厚調整挟持片２０と、本体部材Ａの後部に配した挟持片部１１とにより上記取付固定部１０が構成されている。
【００２３】
具体的には、取付固定部１０は、厚調整挟持片２０の板体押さえ部２１と、挟持片部１１とで屋根下地板体７の軒先部分を挟持する構成とされている。すなわち、軒樋支持具１は取付固定部１０で屋根下地板体７を挟み込むことで固定されるようになっている。２部材が屋根下地板体７にしっかりと固定されるように、板体押さえ部２１の先端には板体に食い込む爪２１ａが設けてあり、挟持片部１１は固定具挿通孔１２を介して釘やねじなどの固定具１５で屋根下地板体７に固定されるようになっている。なお、板体押さえ部２１についても固定具１５で固定するようにしてもよい。
【００２４】
また、厚調整挟持片２０と挟持片部１１とは、挟持片部１１と調整部２２とを係合することで連結できる構成とされている。この係合は、屋根下地板体７の厚みにおうじて係合位置が可変とされている。具体的には、調整部２２に、挟持片部１１を一方の側端より差し入れて係合する係合凹部２２ａを櫛歯状に複数形成したことで挟持間隔を調整できるようにしてある。また、挟持片部１１には、差し入れ位置を定めた差し入れ凹溝１１ａが形成されている。
【００２５】
このように、軒樋支持具１は、厚調整挟持片２０と挟持片部１１とによる挟持間隔調節手段を有しており、それにより種々の厚みの屋根下地板体７に対応できるようになっている。
【００２６】
図２をさらに参照しながら、挟持間隔調節手段について詳細に説明する。
【００２７】
挟持間隔調節手段を構成する一方の構成部である、厚調整挟持片２０の調整部２２には、上述したように、その一方の側端側に櫛歯状の凹凸が形成されている。この凹部が挟持片部１１を差し入れ係合するための係合凹部２２ａを構成する。
【００２８】
係合凹部２２ａは複数形成されており、そのいずれの奥部の底面にも、挟持片部１１との位置合わせ用、位置ずれ防止用の突起２２ｂが形成されている。
【００２９】
一方、挟持片部１１には、調整部２２の係合凹部２２ａに差し入れる位置に対応して差し入れ凹溝１１ａが形成されている。この差し入れ凹溝１１ａの溝底１１ｂには、上記突起２２ｂが係合する係合凹所１１ｃ（図例では貫通孔）が開設されている。
【００３０】
以上のように、櫛歯状に形成された係合凹部２２ａのいずれか１つに挟持片部１１を係合させる構成とされているため、屋根下地板体７の厚みに合わせて両部材をほとんど隙間なく取り付けることができる。特に、挟持片部１１（本体部材Ａ）は、係合凹部２２ａに差し入れられることで厚調整挟持片２０に吊り支持された状態となり、本体部材Ａ、特に前端側の樋支持具本体３０の下方への垂れを防止することができる。
【００３１】
さらに、突起２２ｂと係合凹所１１ｃとの係合により、係合凹部２２ａの適正な位置に挟持片部１１を配することができ、施工後の両部材の（正面から見て）左右方向への分離を防止することができる。なお、係合凹部２２ａに係合凹所１１ｃを形成し、挟持片部１１に突起２２ｂを形成した構成としてもよい。
【００３２】
また、挟持片部１１には差し入れ凹溝１１ａが形成されているため、両部材を仮合体させることができ、対の状態で取り扱いでき、施工前の持ち運びなどにおける取り扱いがしやすくなる。また図１に示すように、この差し入れ凹溝１１ａを屋根下地板体７の前端に合わせて固定すれば、その後に、容易に厚調整挟持片２０を取り付けることができる。ようするに、差し入れ凹溝１１ａは施工のための位置合わせ手段としても利用できる。また、この差し入れ凹溝１１ａは、施工後における厚調整挟持片２０との前後ずれを防止する作用も有している。
【００３３】
なお、差し入れ凹溝１１ａは挟持片部１１の下面側に形成されるようにしてもよい。また、差し入れ凹溝１１ａや、突起２２ｂ、係合凹所１１ｃは形成されなくてもよく、挟持片部１１を係合凹部２２ａに差し入れ係合するだけの構成であってもよい。また、櫛歯状の調整部２２による挟持間隔調節手段ではなく、長孔や他の手段により挟持間隔調節手段を実現できるようにしてもよい。
【００３４】
図３は、以上のようにして取り付けた軒樋支持具１の取り付け状態を示した側面図である。図中、６は屋根材（軒先屋根材）、９は軒先屋根材６を設置するための横木である。このような軒樋支持具１を用いて軒樋５を支持することで、図３に示すように、屋根上面を伝ってきた雨水を軒樋５で受け止めることができる。
【００３５】
また、本軒樋支持具１は、図３に示すように垂木８に取り付けるように構成された軒樋支持具（不図示）に比べてやや前方に取り付けできるため、取り付け作業をしやすくすることができる。さらに、屋根下地板体７は、軒先において断続的に配される垂木８とは異なり、軒先の幅方向（左右方向）の略全長にわたって連続して配してあるため、軒樋支持具１の取り付け位置の制約がなく、設置自由度が高くなる。
【００３６】
軒樋支持具１は屋根下地板体７に取り付ける構成であるため、軒先屋根材６を設置する前段階での施工に向いている。上方に屋根材６がない開放された状態で軒樋支持具１を取り付けできるので、作業がしやすく、作業が煩雑化することを回避することができる。なお、屋根葺き後に軒樋支持具１を設置できるようにするために、横木９は板体押さえ部２１と接触しない位置に取り付けるようにしてもよい。
【００３７】
また、軒樋支持具１は屋根材６に直接取り付けるものではなく、その屋根材６に全体が覆われた屋根下地板体７に取り付けるものであるため、取り付け部位（厚調整挟持片２０の板体押さえ部２１）が上方に露出するおそれはない。よって、屋根の上に軒樋支持具１の一部が露出することはなく、美観が損なわれるおそれはない。
【００３８】
ついで、図４に示した吊り支持用の軒樋支持具２について説明する。取付固定部１０（挟持間隔調整手段）については、図１のものと同様であるため、同一の符号を付してその説明を省略する。挟持間隔調整手段が図１のものと同様であるため、その効果についても説明を省略する。
【００３９】
この軒樋支持具２は、角樋５を吊り支持できる樋支持具本体３０と、その後端より後方に延びた平板状の挟持片部１１とよりなる。樋支持具本体３０は、軒樋５を前耳係止部３１と後耳係止部３２とで吊り支持する板状本体部３４と、その板状本体部３４に連結された連設部３３を有してなる。板状本体部３４と連設部３３とは相互に別体とされ、板状本体部３４の長孔（不図示）の前後方向の適所で連設部３３をボルト３５と、蝶ナット３６とで連結できるようになっている。このように、本軒樋支持具２は出具合調整ができる構成とされている。なお、本実施形態では、樋支持具本体３０の連設部３３と、取付固定部１０の挟持片部１１とが一体の平板体で形成されている。
【符号の説明】
【００４０】
１、２      軒樋支持具
５          軒樋（丸樋、角樋）
６          屋根材（軒先屋根材）
７          屋根下地板体
８          垂木
９          横木
Ａ          本体部材
１０        取付固定部
１１        挟持片部
１１ａ      差し入れ凹溝
１１ｂ      溝底
１１ｃ      係合凹所
１２        固定具挿通孔
１５        固定具
２０        厚調整挟持片
２１        板体押さえ部
２１ａ      爪
２２        調整部
２２ａ      係合凹部
２２ｂ      突起
３０        樋支持具本体
３１        前耳係止部
３２        後耳係止部
３３        連設部
３４        板状本体部
３５        ボルト
３６        蝶ナット
【図１】
2019039189.tif 000003
【図２】
2019039189.tif 000004
【図３】
2019039189.tif 000005
【図４】
2019039189.tif 000006